(57)【要約】【課題】  浴室のレイアウト変更も容易で汎用性の高い有益なものであって、扉２の扱いが便利で安全である扉付入浴装置を提供すること。【解決手段】  浴槽３の正面側壁１は扉２で構成され、扉２にはこの扉２を浴槽３に寄せ付けるロック機構１４が設けられ、浴槽３と扉２の当接部において、左右側のうち、一方側には、蝶番１５が設けられ、他方側には、ロック具３５が設けられ、  一方側の蝶番１５と、他方側のロック具３５とを互いに取り替えることが容易にできるように構成し、これらの取り替えをもって扉２の開く側を左右反対に変更できることを特徴とする扉付入浴装置である。【選択図】  図５
2011067466.tif 000002
【特許請求の範囲】
【請求項１】
浴槽３の正面側壁１は扉２で構成され、扉２にはこの扉２を浴槽３に寄せ付けるロック機構１４が設けられ、浴槽３と扉２の当接部において、左右側のうち、一方側には、屈曲支持具７が設けられ、他方側には、ロック具３５が設けられ、
一方側の屈曲支持具７と、他方側のロック具３５とを互いに取り替えが容易にできる構成とし、これらの取り替えをもって扉２の開く側を左右反対に変更できることを特徴とする扉付入浴装置。
【請求項２】
扉２内部に、ロック具３５とロック具３５を作動させる作動機１９等からなり扉２を浴槽３に密着させロックするロック機構１４が設けられ、
ロック機構１４は、作動機１９の駆動力を左又は右のロック具３５へ伝達する構成を有し、
ロック具３５及び検出片３４等は、左右側の変更付け替えが容易にできる構成とし、これらの付け替えをもって扉２の開く側を左右反対に変更できることを特徴とする請求項１記載の扉付入浴装置。
【請求項３】
浴槽３の正面側壁１は扉２で構成され、扉２にはロック機構１４が設けられ、浴槽３と扉２の当接部において、一方側には、屈曲支持具７が設けられ、他方側には、ロック具３５が設けられ、
ロック具３５は、浴槽３に設けられるロック片３１と扉２に設けられるロック掛け具２１とでなり、
ロック片３１は浴槽３の側壁前縁３ａに扉２に向けて水平状に延設され、ロック片３１の上側先部には凸部３２が形成され、ロック片３１の下側先部には垂下状に鉤突起３３が形成され、
一方、前記ロック掛け具２１は鉤突起３３に掛かるものであり、更に、扉２の内部に扉２が仮閉め位置に至るとロック片３１の凸部３２に掛かる仮ロック具２４が設けられ、
扉２を浴槽３に閉止する時、介助者は手動で扉２を仮閉めすると、仮ロック具２４が、ロック片３１に掛かり、扉２は仮閉め位置に係留され、この仮閉め位置では、鉤突起３３がロック掛け具２１の回転半径内に位置され、次に、介助者がロック機構１４を作動させると、ロック掛け具２１が回転し、鉤突起３３を引き寄せ、扉２は密閉位置に至ることを特徴とする扉付入浴装置。
【請求項４】
ロック具３５所在側の扉２に、退入可能に検出片３４が突設せられ、又、扉２の内部に、検出片３４に当接して退入度合いを検出する仮ロックセンサー３６及び本ロックセンサー３７が設けられ、一方、浴槽３の上面に設けられた操作パネル１３に、扉ランプ２８が配設され、
前記扉ランプ２８は、仮・本ロックセンサー３６・３７の出力を得て扉２が開位置にあるか仮閉め位置にあるか密閉位置にあるかを判別可能に表示することを特徴とする請求項１記載の扉付入浴装置。
【発明の詳細な説明】
【技術分野】
【０００１】
本発明は、身体障害者及び高齢者（以下、要介護者）、特に要介護度の高い要介護者の介護入浴を行なう扉付入浴装置に関するものである。
【背景技術】
【０００２】
従来装置の特許文献１のものは、浴槽の一側壁に開閉自在な扉付きの開口部を設け、該開口部より入浴者を進退させ、更に浴槽に連結した転湯装置により湯を出し入れして、入退浴を行う介護浴槽において、扉と浴槽とにわたって扉閉止機構が設けられ、且つ、該扉閉止機構には、扉を締め込んで密閉させる作動器が設けられてなり、扉を、手動操作により一旦非水密の仮係止状態に閉止した後、作動器を作動させて扉を締付ける、少なくとも２行程の作動を経て、完全密閉状態にすることを特徴とする扉付き介護浴槽である。
【先行技術文献】
【特許文献】
【０００３】
【特許文献１】特開２００１−１８７１００号公報
【発明の概要】
【発明が解決しようとする課題】
【０００４】
特許文献１に記載された構成では、扉閉止機構を、浴槽と扉とにわたって設けたものであるから、扉を閉める操作が容易である。
又、扉閉止機構の弛緩により非水密の仮係止状態になし、その後、操作ハンドルを持って軽易な労力で開けることができ、これら扉の開閉が、軽易な労力で簡単に行なえ、好都合である。
しかし、特許文献１に記載された浴槽は、閉止機構が浴槽の一方側壁に設けられているから、浴室のレイアウトの都合を考慮して扉の開き側を左右反対側へ変えたい時、扉の開き側を容易に逆側へ変更することができないという不都合があった。
本発明の目的は、浴室のレイアウト変更に容易に対応でき汎用性の高い有益なものであって、扉の扱いが便利で安全である扉付入浴装置を提供するものである。
【課題を解決するための手段】
【０００５】
上記目的を実現する本発明は、浴槽３の正面側壁１は扉２で構成され、扉２にはこの扉２を浴槽３に寄せ付けるロック機構１４が設けられ、浴槽３と扉２の当接部において、左右側のうち、一方側には、屈曲支持具７が設けられ、他方側には、ロック具３５が設けられ、一方側の屈曲支持具７と、他方側のロック具３５とを互いに取り替えが容易にできる構成とし、これらの取り替えをもって扉２の開く側を左右反対に変更できることを特徴とする扉付入浴装置である。
又、扉２内部に、ロック具３５とロック具３５を作動させる作動機１９等からなり扉２を浴槽３に密着させロックするロック機構１４が設けられ、ロック機構１４は、作動機１９の駆動力を左又は右のロック具３５へ伝達する構成を有し、ロック具３５及び検出片３４等は、左右側の変更付け替えが容易にできる構成とし、これらの付け替えをもって扉２の開く側を左右反対に変更できる。
更に、浴槽３の正面側壁１は扉２で構成され、扉２にはロック機構１４が設けられ、浴槽３と扉２の当接部において、一方側には、屈曲支持具７が設けられ、他方側には、ロック具３５が設けられ、ロック具３５は、浴槽３に設けられるロック片３１と扉２に設けられるロック掛け具２１とでなり、ロック片３１は浴槽３の側壁前縁３ａに扉２に向けて水平状に延設され、ロック片３１の上側先部には凸部３２が形成され、ロック片３１の下側先部には垂下状に鉤突起３３が形成され、一方、前記ロック掛け具２１は鉤突起３３に掛かるものであり、更に、扉２の内部に扉２が仮閉め位置に至るとロック片３１の凸部３２に掛かる仮ロック具２４が設けられ、扉２を浴槽３に閉止する時、介助者は手動で扉２を仮閉めすると、仮ロック具２４が、ロック片３１に掛かり、扉２は仮閉め位置に係留され、この仮閉め位置では、鉤突起３３がロック掛け具２１の回転半径内に位置され、次に、介助者がロック機構１４を作動させると、ロック掛け具２１が回転し、鉤突起３３を引き寄せ、扉２は密閉位置に至る。
更に又、ロック具３５所在側の扉２に、退入可能に検出片３４が突設せられ、又、扉２の内部に、検出片３４に当接して退入度合いを検出する仮ロックセンサー３６及び本ロックセンサー３７が設けられ、一方、浴槽３の上面に設けられた操作パネル１３に、扉ランプ２８が配設され、前記扉ランプ２８は、仮・本ロックセンサー３６・３７の出力を得て扉２が開位置にあるか仮閉め位置にあるか密閉位置にあるかを判別可能に表示する。
【発明の効果】
【０００６】
本発明は、一方側の屈曲支持具７と、他方側のロック具３５（＝ロック片３１及びロック掛け具２１）とを互いに取り替えることが容易にできるように構成しており、扉２の開く側を軽微な現場作業で左右を逆に変更でき、設置作業の円滑化に協力でき、又、施設内のレイアウトを変更するとき、自由度が高く汎用性を高めることとなり、好都合である。
又、浴室のレイアウトの自由度を高めることにより、搬送車の扱いや経路の良好化に協力でき、入浴作業の円滑化に協力でき、好都合である。
【０００７】
本発明に係るロック機構１４は、作動機１９の駆動力を左又は右のロック具３５へ伝達する構成を有し、ロック具３５及び検出片３４等は、左右側の取り替えが容易にできる構成とし、これらの取り替えをもって扉２の開く側を左右反対に変更できる。扉２のロックを掛ける作動機１９等の主な部材が扉２側にあるから、ロック具３５の付け替えや検出片３４の容易な付け替えをもって、扉の開く側を左右反対側に変更することができ、好都合である。
又、作動機１９一個で左右両側のロック具３５を駆動することができ、左右変更作業の簡素化と、コストダウンが図れ、好都合である。
【０００８】
介助者が手動で扉２を閉めると仮ロック具２４の先端部が、ロック片３１に当たり下方付勢力に抗して凸部３２の上面に添って上昇・下降して通り越し、ロック片３１の中部上面に乗り上げ扉２は仮ロック具２４によって仮閉め位置に係留され、仮閉め位置ではロック片３１がロック掛け具２１の回転半径内に設定されるものであるから、扉２側に設けた簡易な構成で、扉２側でロック作動をなして扉２を密閉ロックでき、好都合である。
【０００９】
扉２の左右側部のうちの他方側に、扉２の内方に向かって退入可能な検出片３４が、コイルバネ８に付勢されて扉２の外方の浴槽３に向けて突設される。
又、扉２に、検出片３４に当接して退入状況を検出する仮ロックセンサー３６及び本ロックセンサー３７が設けられる。
この構成によれば、扉２の左右側の取り替えを行う際、検出片３４及び仮・本ロックセンサー３６・３７の取り付けが簡単であるから、一層、扉２の開く側の変更を行ない易く、好都合である。
扉２の浴槽３に向かう面には、左右側のうち一方側に蝶番１５を取り付け、他方側に検出片３４を取り付けている。扉２の開き側を左右変更するとき、両者の位置を互いに取り替えることができ、扉２に特別な取り付け穴を開ける必要がなく、付け替え作業が簡易で、好都合である。
【図面の簡単な説明】
【００１０】
【図１】本発明の実施例１の正面から見た斜視図である。
【図２】本発明の実施例１の平面図である。
【図３】本発明の実施例１の浴槽３に寝位搬送車１１を入れた左側面図である。
【図４】本発明の実施例１の扉２のロック機構１４を示す斜視図である。
【図５】本発明の実施例１の扉２のロック機構１４を示す斜視図である。
【図６】本発明の実施例１の寝位搬送車１１の斜視図である。
【発明を実施するための形態】
【実施例１】
【００１１】
以下、図面を参照しつつ本発明の実施例１を説明する。図１乃至図６に本発明の実施例１を示す。
図１に示す扉付入浴装置１２は、正面側壁１が扉２で構成される浴槽３と、搬送車４と、タンク５と、湯移動装置６と、操作パネル１３等とからなる。
【００１２】
浴槽３は、扉２が設けられる浴槽主部９と、扉２に対向する側における浴槽主部９に連続して接続される浴槽副部１０とからなり、浴槽３はその基側から先側に向けて長尺に形成されてなる。
【００１３】
浴槽副部１０はその幅を先方漸狭に形成され、省湯量化を図った構成である。
浴槽副部１０は後記する寝位搬送車１１の長尺下肢受け２９を受容する。
実施例１は、座位入浴を行なえると共に、浴槽３内を長尺範囲に占有する寝位入浴も行なえる構成である。
【００１４】
扉２は、浴槽３の正面側壁１に、屈曲支持具７（具体例では蝶番１５）とロック機構１４とで、開閉可能に取り付けられる。屈曲支持具７は、具体例では蝶番１５である。扉２に、扉２と浴槽３の前縁とをシールするシール材３８が取着される。
扉２には該扉２を浴槽３に密着させるロック機構１４が設けられる。
ロック機構１４は、作動機１９の駆動力を左又は右のロック具３５へ伝達する構成を有する。
【００１５】
ロック機構１４は、伸縮作動をなす作動機１９と、作動機１９（具体例では、アクチュエーター）によって回転する回転軸２０と、回転軸２０の端に取着されるロック掛け具２１と、扉２の左右両側に設けられる左・右扉フレーム２２・２３とからなる。
図５に示す作動機１９は、入浴スイッチ２６が投入された時、伸長作動するものである。
前記回転軸２０は扉２の左右側にわたって水平状に設けられる。
【００１６】
浴槽３の左右前端のうち一方側には、扉２を回動可能に支持する蝶番１５が取着される。
扉２の左右端のうち一方側は、前記蝶番１５に取着される。
他方側にはロック具３５が設けられる。
ロック具３５は、浴槽３に設けられるロック片３１と扉２に設けられるロック掛け具２１とでなる。
屈曲支持具７及びロック具３５は、浴槽３と扉２の当接部において、左右を取り替えて取着することは容易である。扉２の開く側を左右変更する際に、上記取り替えが行なわれる。
【００１７】
ロック片３１は、浴槽３の側壁前縁３ａに、扉２方向（＝前方向）に突設される。ロック片３１は、その上側先部に凸部３２が形成され、その下側先部に垂下状に鉤突起３３が形成される。
ロック掛け具２１は、ロック片３１に対向して、回転軸２０の左右端のうちいずれかに取り付けられ、回転しながら鉤突起３３に掛かり、扉２をロックする部材である。ロック掛け具２１は、図５では右端側の、ロック片３１の設けられる側に取着される。
ロック掛け具２１は、回転軸２０の左右端において、左右を変更して取着することは容易である。扉２の開く側を左右変更する際に、上記変更取着が行なわれる。
【００１８】
介助者が扉２を閉めると扉２は仮閉め位置に至り、仮ロック状態になる。
図４に示すロック掛け具２１が、作動機１９の伸長作動により、回転軸２０と共に左回転し、ロック掛け具２１の先部が鉤突起３３に掛かり鉤突起３３を扉２内へ引き込むものである。この引き込み作動により遊動状にある扉２は、浴槽３の内方側へ移動し浴槽３の前縁へ密着する。
【００１９】
扉２は、介助者が扉２を手動で閉めた時、又は、浴槽３内の湯が空になった時は、ロックは解除され仮ロック状態となる。
この仮ロック状態では、ロック片３１の中部上面に仮ロック具２４がバネ２５で下方に付勢され当接し、扉２が仮ロック具２４で係留される。
即ち、仮ロック具２４の押し圧力がロック片３１に付与され、扉２は浴槽３の前方開口部に非密閉状態に停留する。扉２が仮ロック状態の位置にある時は、ロック掛け具２１の回転半径内に鉤突起３３がある。
【００２０】
扉２は、ロック掛け具２１を回動により、仮ロック状態から本ロック状態に変わり、密閉される。
介助者が扉２を引けば仮ロック具２４はバネ２５力に抗して基部３０を中心に垂直面に添う方向に回動し凸部３２を超え、仮ロック具２４がロック片３１から外れ、扉２は開く。
介助者が扉２を引かない間は、扉２は浴槽３の前開口部に非密閉状態に停留する。
【００２１】
扉２の他方側に、扉２の内方に向かって退入可能な検出片３４が設けられる。
扉２が開状態にある時は、検出片３４は扉２の外方にコイルバネ８に付勢されて突出している。
扉２が仮ロック状態にある時は、検出片３４が浴槽３に当たって、扉２の内方向に半退入する。扉２が浴槽３に密着すると、検出片３４が浴槽３に押されて、扉２の内方向に全退入する。
【００２２】
扉２に、検出片３４に当接して前記半退入及び全退入を検出する仮ロックセンサー３６及び本ロックセンサー３７が設けられる。仮ロックセンサー３６が仮ロックを検出しなければ、本ロックしないように構成されている。
一方、浴槽３上部に設けられる操作パネル１３に扉ランプ２８が配設され、扉ランプ２８で扉２の仮閉め状態と密閉状態とを表示する。
検出片３４、仮ロックセンサー３６及び本ロックセンサー３７は、浴槽３と扉２の当接部において、左右を変更して取着することは容易である。扉２の開く側を左右変更する際に、上記変更取着が行なわれる。
回転軸２０の左右端において、左右を取り替えて取着することは容易である。扉２の開く側を左右変更する際に、上記取り替えが行なわれる。
【００２３】
後記する操作パネル１３に扉２の仮閉め状態と密閉状態とを表示す扉ランプ２８が配設されている。
扉２が前記半退入の状態の時、扉ランプ２８は点滅し、全退入状態の時、扉ランプ２８は点灯する。扉ランプ２８は扉２の仮閉め状態と密閉状態と判別可能にしている。点滅も点灯もせず消灯することで、開放状態を判別可能にしている。
【００２４】
搬送車４は、入浴者を乗せ搬送すると共に、浴槽３に入浴者と共に押し込まれるものである。
搬送車４は、座位搬送車（図示省略）、又は寝位搬送車１１であり、これらの両搬送車１３・１４は浴槽３に適用できる。
寝位搬送車１１は浴槽３内を長尺範囲に占有する寝位入浴を行なう。
前記座位搬送車は座位入浴を行なう。浴槽３は寝位入浴と座位入浴を実施可能にするものである。
【００２５】
次に、実施例１の扉付入浴装置１２の使用方法について説明する。
入浴準備に際し、湯と水をミキシングバルブ（図示省略）で適温に為して、タンク５へ新湯を供給し貯湯する。この貯湯時はタンク上限水位スイッチ（図示省略）が作動するまで給湯する。
【００２６】
入浴者を搬送車４に乗せ、浴槽３の前へ搬送する。
タンク５は、門型形状に構成されて浴槽副部１０に左右方向に跨がって構成され、装置の奥行きが短縮されており、浴室の占有空間を小さくしておりそれ故に搬送車４はその通路を広く取れ浴室での取り回し良好となる。
浴槽３の扉２を、扉２の上縁を掴んで引き開ける。
仮閉め位置にある扉２を開ける。仮ロック具２４の先端部が、凸部３２を擦って越えロック片３１から外れ、扉２が開く。
【００２７】
開けておいて上記搬送車４を入浴者と共に浴槽３内へ押し込む。
搬送車４が前記座位搬送車の場合は、搬送車４を浴槽３へ入れる時、介助者は、操作ハンドル（図示省略）を引き下げ、下肢受け（図示省略）を水平方向へ回動させ係止する。
座れない入浴者に対しては、寝位搬送車１１を使用する。介助者は、入浴者を担架（図示省略）から寝位搬送車１１へ移乗し、搬送する。
【００２８】
浴室のレイアウトを改善変更に関連して、又は、その他の都合によって、扉２の開く側を変更したいとき、簡易な作業で扉２の取り付け部分を改造できる。
即ち、扉２の開く側を変更するときは、蝶番１５と、ロック具３５とを取り替える。この取替えに付随して、検出片３４も反対側へ移転取り付けする。取替え作業は、工場でなくても現場で簡易に行なえる。
更に詳述すると、浴槽３の左右側に係る一方側の蝶番１５は、その一方が浴槽３の側壁前縁３ａに難無く着脱可能に取着され、その他方は扉２に難無く着脱可能に取着される。
【００２９】
浴槽３の左右側に係る他方側のロック具３５は、その一方がロック片３１であって浴槽３の側壁前縁３ａに難無く着脱可能に取着され、その他方はロック掛け具２１及び後記する仮ロック具２４であっていずれも難無く着脱可能に取着される。
【００３０】
ロック掛け具２１は、扉２内の回転軸２０に難無く着脱可能に取着され、仮ロック具２４は左・右扉フレーム２２・２３に難無く着脱可能に取着される。
従って、浴槽３の左右側に係る一方側の蝶番１５と、他方側のロック具３５とは互いに取り替えが難無く着脱可能に取着できる構成であり、これらの蝶番１５とロック具３５との取り替えをもって扉２の開く側を左右反対に変更する。
ロック機構１４は、作動機１９の駆動力を左又は右のロック具３５へ伝達する構成を有し、作動機１９一個で左右両側のロック具３５を駆動することができ、左右変更作業は簡素である。
【００３１】
搬送車４を浴槽３へ押し込む際、搬送車４は、底壁１８の前縁にぶつかって乗座部１６が台車１７から分離し、乗座部１６及び入浴者は浴槽３内に入り、台車１７は浴槽３の底壁１８の下に至り容器外で待機する。
【００３２】
搬送車４が寝位搬送車１１の場合は、長尺下肢受け２９及びフットレスト２６は、浴槽副部１０へ進入する。
搬送車４が、座位搬送車（図示省略）であっても、又寝位搬送車１１であっても、これらの両搬送車は浴槽３に適用（＝押し込みセッティング）できる。浴槽３内を長尺範囲に占有する寝位入浴と、座位入浴とが実施可能である。
【００３３】
介助者は、浴槽３の扉２の上縁を掴んで閉め、扉２を仮閉め状態にする。この時扉ランプ２８は点滅する。
仮閉め状態では、仮ロック具２４がロック片３１に乗り上がり、仮ロック具２４の押し圧力がロック片３１に付与され、扉２は浴槽３の前方開口部に非密閉状態に停留し、この扉２が仮ロック状態の位置にある時には、ロック掛け具２１の回転半径内に鉤突起３３があり、本ロックに移行できる状態にある。
【００３４】
入浴スイッチ２６を押し、ロック機構１４を作動させ、扉２を浴槽３に密閉する。
扉２の密閉作動は、ロック機構１４により行なわれる。即ち、入浴スイッチ２６が投入された時、先ず、図５に示す作動機１９が、伸長作動し、回転軸２０を左回転させる。
【００３５】
図４に示すロック掛け具２１は回転軸２０と共に左回転する。扉２が仮閉め位置にある時は、鉤突起３３がロック掛け具２１の回転半径内にあるから、前記左回転によってロック掛け具２１の先部が鉤突起３３に当たり、更に左回転してロック片３１を扉２内へ引き込む。この引き込み作動により扉２は、浴槽３の内方側へ移動し浴槽３の前縁へ密着し、本ロックされる。この時扉ランプ２８は点灯する。
扉ランプ２８の点滅あるいは点灯によって、扉２の仮閉め状態あるいは密閉状態とが判別される。
又、仮ロックセンサー３６が仮ロックを検出しなければ、本ロックしない。介助者が誤操作しても、装置は安全に作動し、確実に入浴介助作業を実行できる。
【００３６】
介助者が、手動で扉２を仮閉めすると、検出片３４が浴槽３に当たって半退入し、検出片３４が仮ロックセンサー３６を作動させ、扉ランプ２８は点滅する。
更に、入浴スイッチ２６を押しロック機構１４を作動させるとロック機構１４が扉２を浴槽３へ密着させ、検出片３４が浴槽３に押されて全退入し、検出片３４が本ロックセンサー３７を作動させ、扉ランプ２８は点灯する。
【００３７】
扉２が開放時は、扉ランプ２８は消灯する。扉ランプ２８の点滅、点灯、消灯の相違から、扉２が、仮閉め位置にあるか密閉位置にあるか開放位置にあるかが分かる。
浴槽３への給湯により入浴が開始される。
【００３８】
暫時入浴の後、退浴するがその際、先ず、退浴スイッチ２７を押し、湯を抜く。
扉２は、浴槽３内の湯が空になると、ロックは解除され仮ロック状態となる。介助者は、扉２を開け、乗座部１６を浴槽３から引き出す。台車１７も連動して引き出され、乗座部１６は台車１７上に載り一体化される。入浴者を所定場所へ搬送し入浴を終わる。
【産業上の利用可能性】
【００３９】
本発明は、身体障害者及び高齢者（以下、要介護者）、特に要介護度の高い要介護者の介護入浴を行なう扉付入浴装置１２に適用でき、扉２にはこの扉２を浴槽３に寄せ付けるロック機構１４が設けられる扉付入浴装置に適用できる。
【符号の説明】
【００４０】
１    正面側壁
２    扉
３    浴槽
３ａ  側壁前縁
４    搬送車
７    屈曲支持具
１４    ロック機構
１５    蝶番
１９    作動機
２１    ロック掛け具
２４    仮ロック具
２８    扉ランプ
３１    ロック片
３２    凸部
３３    鉤突起
３４    検出片
３５    ロック具
３６    仮ロックセンサー
３７    本ロックセンサー
【図１】
2011067466.tif 000003
【図２】
2011067466.tif 000004
【図３】
2011067466.tif 000005
【図４】
2011067466.tif 000006
【図５】
2011067466.tif 000007
【図６】
2011067466.tif 000008